(57)【要約】【課題】  従来の伝送装置は、網同期装置が出力する網同期クロックが安定後に従属クロックから網同期クロックに切り替えることが難しかった。【解決手段】  伝送装置が伝送路から受信する従属クロックに同期したクロックを生成する発振部と、発振部が生成したクロックに基づいて伝送装置が用いる網同期クロックを生成し、網同期クロックを伝送装置に出力する出力部と、発振部が出力するクロックが安定するまでの期間、伝送装置が網同期クロックを検出しないように、出力部を制御する出力制御部とを有することを特徴とする。【選択図】図３
2016213706.tif 000002
【特許請求の範囲】
【請求項１】
伝送装置が伝送路から受信する従属クロックに同期したクロックを生成する発振部と、
前記発振部が生成したクロックに基づいて前記伝送装置が用いる網同期クロックを生成し、前記網同期クロックを前記伝送装置に出力する出力部と、
前記発振部が出力するクロックが安定するまでの期間、前記伝送装置が前記網同期クロックを検出しないように、前記出力部を制御する出力制御部と
を有することを特徴とする網同期装置。
【請求項２】
請求項１に記載の網同期装置において、
前記出力制御部は、前記発振部が出力するクロックが安定するまでの期間、前記伝送装置に前記網同期クロックを出力しないように前記出力部を制御する
ことを特徴とする網同期装置。
【請求項３】
請求項１に記載の網同期装置において、
前記出力制御部は、前記発振部が出力するクロックが安定するまでの期間、前記伝送装置に前記網同期クロックとは異なる特定のクロックを出力するように前記出力部を制御する
ことを特徴とする網同期装置。
【請求項４】
請求項２または３に記載の網同期装置において、
前記発振部は、前記従属クロックへの同期処理を開始したときに同期開始信号を前記出力制御部に出力し、
前記出力制御部は、前記発振部から同期開始信号を受け取った場合、予め設定された時間の計測を開始し、予め設定された時間が経過したときに同期保護解除信号を前記出力部に出力し、
前記出力部は、前記出力制御部から前記同期保護解除信号を受け取った場合に、前記網同期クロックを前記伝送装置に出力する
ことを特徴とする網同期装置。
【請求項５】
請求項２または３に記載の網同期装置において、
前記発振部は、前記従属クロックへの同期処理を開始したときに同期開始信号を前記出力制御部に出力し、
前記出力制御部は、前記発振部から同期開始信号を受け取った場合、前記従属クロックと前記発振部が出力するクロックとの位相差を監視して、前記位相差が予め設定した条件を満たしたときに、同期保護解除信号を前記出力部に出力し、
前記出力部は、前記出力制御部から前記同期保護解除信号を受け取った場合に、前記網同期クロックを前記伝送装置に出力する
ことを特徴とする網同期装置。
【請求項６】
伝送装置が伝送路から受信する従属クロックに同期した網同期クロックを生成して前記伝送装置に供給する網同期装置における網同期方法であって、
前記網同期装置は、前記伝送装置から受け取った前記従属クロックに対する発振器のクロックの同期が安定するまでの期間、前記伝送装置が前記網同期クロックを検出しないように制御する
ことを特徴とする網同期方法。
【請求項７】
請求項６に記載の網同期方法において、
前記網同期装置は、前記発振器のクロックの同期が安定するまでの期間、前記伝送装置に前記網同期クロックを出力しないことを特徴とする網同期方法。
【請求項８】
請求項６に記載の網同期方法において、
前記網同期装置は、前記発振器のクロックの同期が安定するまでの期間、前記網同期クロックとは異なる特定のクロックを前記伝送装置に出力することを特徴とする網同期方法。
【請求項９】
請求項７または８に記載の網同期方法において、
前記網同期装置は、前記発振器が前記従属クロックに対する同期処理を開始してから予め設定された時間が経過後に、前記網同期クロックを前記伝送装置に出力する
ことを特徴とする網同期方法。
【請求項１０】
請求項７または８に記載の網同期方法において、
前記網同期装置は、前記従属クロックと前記発振器が出力するクロックとの位相差を監視して、前記位相差が予め設定した条件を満たしたときに、前記網同期クロックを前記伝送装置に出力する
ことを特徴とする網同期方法。
【発明の詳細な説明】
【技術分野】
【０００１】
本発明は、網同期装置および網同期方法に関する。
【背景技術】
【０００２】
複数の伝送装置を有する伝送システムでは、伝送装置間でクロックの同期を図ることが重要である。例えば、各伝送装置は、上位側の伝送装置に接続される伝送路から抽出したクロック（従属クロックと称する）または外部の網同期装置が出力するクロック（網同期クロックと称する）を選択して動作する（例えば、特許文献１参照）。
【先行技術文献】
【特許文献】
【０００３】
【特許文献１】特開２００３−１５８５０８号公報
【発明の概要】
【発明が解決しようとする課題】
【０００４】
網同期装置は、従属クロックに同期した網同期クロック生成して伝送装置に戻す機能を有する。ところが、網同期装置は、従属クロックへの同期を開始した後、従属クロックと網同期発振部の出力クロックとの位相差が無くなるように徐々に制御を行う。そのため、網同期装置が出力する網同期クロックのクロックワンダーが安定して完全に同期するまでに数時間を要する。そこで、伝送装置は、網同期装置の同期が完了するまでの間、網同期装置が出力するクロックではなく、従属クロックに同期して動作する。そして、数時間経過後に、網同期装置が出力する網同期クロックが安定してから、伝送装置のクロックを従属クロックから網同期クロックに保守者が手動で切り替える作業を行っていた。
【０００５】
本件開示の網同期装置および網同期方法は、網同期装置が出力する網同期クロックが安定後に従属クロックから網同期クロックに自動的に切り替える技術を提供することを目的とする。
【課題を解決するための手段】
【０００６】
一つの観点によれば、伝送装置が伝送路から受信する従属クロックに同期したクロックを生成する発振部と、発振部が生成したクロックに基づいて伝送装置が用いる網同期クロックを生成し、網同期クロックを伝送装置に出力する出力部と、発振部が出力するクロックが安定するまでの期間、伝送装置が網同期クロックを検出しないように、出力部を制御する出力制御部とを有することを特徴とする。
【０００７】
一つの観点によれば、伝送装置が伝送路から受信する従属クロックに同期した網同期クロックを生成して伝送装置に供給する網同期装置における網同期方法であって、網同期装置は、伝送装置から受け取った従属クロックに対する発振器のクロックの同期が安定するまでの期間、伝送装置が網同期クロックを検出しないように制御することを特徴とする。
【発明の効果】
【０００８】
本件開示の網同期装置および網同期方法は、網同期装置が出力する網同期クロックが安定後に従属クロックから網同期クロックに自動的に切り替えることができる。
【図面の簡単な説明】
【０００９】
【図１】網同期システムの一例を示す図である。
【図２】複合バイポーラ信号の一例を示す図である。
【図３】網同期装置の一例を示す図である。
【図４】第１実施形態に係る網同期装置の一例を示す図である。
【図５】網同期装置の処理の一例を示す図である。
【図６】網同期クロックの出力例を示す図である。
【図７】伝送装置のクロック切替の一例を示す図である。
【図８】網同期クロックの出力例を示す図である。
【図９】伝送装置のクロック切替の一例を示す図である。
【図１０】第２実施形態に係る網同期装置の一例を示す図である。
【図１１】位相比較の一例を示す図である。
【発明を実施するための形態】
【００１０】
以下、図面を用いて、網同期装置および網同期方法の実施形態を説明する。
【００１１】
図１は、網同期システム１００の一例を示す。図１において、網同期システム１００は、伝送装置１０２（１）、伝送装置１０２（２）、伝送装置１０２（３）および伝送装置１０２（４）が伝送路を介してリング状に接続されている。また、伝送装置１０２（１）は、システムのクロック源となる標準クロック発生装置１０１に接続され、伝送装置１０２（２）、伝送装置１０２（３）および伝送装置１０２（４）に従属クロックを配信する。また、伝送装置１０２（２）、伝送装置１０２（３）および伝送装置１０２（４）は、網同期装置１０３（１）、網同期装置１０３（２）および網同期装置１０３（３）がそれぞれ接続され、従属同期方式による網同期（周波数同期）を確立する。網同期装置１０３（１）、網同期装置１０３（２）および網同期装置１０３（３）は、それぞれに接続される伝送装置１０２（２）、伝送装置１０２（３）および伝送装置１０２（４）に従属クロックに同期した網同期クロックを供給する。
【００１２】
網同期装置１０３（１）は、伝送装置１０２（２）が伝送路から抽出した従属クロックを入力して、ジッタやワンダーなどのクロックの乱れをきれいに整形し直した網同期クロックを伝送装置１０２（２）に出力する。同様に、網同期装置１０３（２）および網同期装置１０３（３）は、伝送装置１０２（３）および伝送装置１０２（４）がそれぞれ出力する従属クロックを整形し直した網同期クロックを伝送装置１０２（３）および伝送装置１０２（４）にそれぞれ出力する。
【００１３】
ここで、伝送装置１０２（１）、伝送装置１０２（２）、伝送装置１０２（３）および伝送装置１０２（４）に共通する内容を説明する場合は、符号末尾の（数字）を省略して、伝送装置１０２と表記する。また、特定の伝送装置１０２を指す場合は、符号末尾に（数字）を付加して、例えば伝送装置１０２（１）のように表記する。網同期装置１０３（１）、網同期装置１０３（２）および網同期装置１０３（３）についても同様に表記する。
【００１４】
なお、本実施形態では、伝送装置１０２は、網同期装置１０３から網同期クロックが全く入力されない場合、網同期クロックではなく従属クロックに基づいて動作する機能（クロックスレーブ動作と称する）を有する。また、伝送装置１０２は、網同期装置１０３から所定の網同期クロックとは異なるクロックが入力された場合についても、クロックスレーブ動作を行う。ここで、所定の網同期クロックは、例えば６４ｋＨｚと８ｋＨｚとの複合バイポーラ信号である。６４ｋＨｚと８ｋＨｚとの複合バイポーラ信号は、６４ｋＨｚのバイポーラ信号に８ｋＨｚのクロック信号が重畳された信号である。なお、網同期クロックとしては、６４ｋＨｚと８ｋＨｚとの複合バイポーラ信号ではなく、６４ｋＨｚと８ｋＨｚに０．４ｋＨｚのクロックを加えた複合バイポーラ信号が用いられる場合もある。伝送装置１０２は、８ｋＨｚのバイオレーションの有無を検出し、８ｋＨｚのバイオレーションが無い場合、クロックスレーブ動作を行う。なお、網同期クロックが６４ｋＨｚ、８ｋＨｚおよび０．４ｋＨｚの複合バイポーラ信号である場合、８ｋＨｚのバイオレーションには、８ｋＨｚと０．４ｋＨｚのバイオレーションが付加される。以下の実施形態では、網同期クロックに０．４ｋＨｚのクロックが含まれない場合について説明するが、網同期クロックに０．４ｋＨｚのクロックが含まれない場合についても同様に適用可能である。
【００１５】
図２は、網同期クロックの一例を示す。本実施形態では、網同期クロックとして、６４ｋＨｚと８ｋＨｚとの複合バイポーラ信号が用いられる。伝送装置１０２は、６４ｋＨｚと８ｋＨｚとの複合バイポーラ信号に基づいて動作し、例えば６４ｋＨｚのビットレートのデータフレームを生成する。図２の例では、８ｋＨｚの周期でデータフレームが生成される。例えばデータフレームは、フラグビット（Ｆ）、データビット（Ｄ１−Ｄ６）および誤り検出ビット（Ｓ）の８ビットの情報を有する。
【００１６】
図２において、網同期クロックは、１５．６２５μｓｅｃ周期の６４ｋＨｚのバイポーラ信号に１２５μｓｅｃ周期の８ｋＨｚのクロック信号を重畳して生成される。図２の例では、６４ｋＨｚのバイポーラ信号において、８ｋＨｚ（１２５μｓｅｃの周期）で同符号のパルスを連続させて６４ｋＨｚのバイポーラ信号の正負のパルスを反転させる（８ｋＨｚバイオレーションと称する）。図２において、例えばタイミングＴ１の直前の点線円１６１で示した部分、タイミングＴ２の直前の点線円１６２で示した部分、タイミングＴ３の直前の点線円１６３で示した部分がそれぞれ８ｋＨｚバイオレーションである。このようにして、６４ｋＨｚと８ｋＨｚとの複合バイポーラ信号が生成される。
【００１７】
本実施形態では、伝送装置１０２は、網同期装置１０３が出力する網同期クロックに８ｋＨｚバイオレーションが有るか否かを検出する。そして、伝送装置１０２は、例えば、網同期クロックに８ｋＨｚバイオレーションが有る場合に網同期クロックを使用し、無い場合は従属クロックを使用する。或いは、伝送装置１０２は、網同期装置１０３が網同期クロックを出力しているか否かを検出する。そして、伝送装置１０２は、網同期装置１０３が網同期クロックを出力している場合に網同期クロックを使用し、網同期クロックを出力していない場合は従属クロックを使用する。
【００１８】
図３は、網同期装置１０３の一例を示す。図３において、網同期装置１０３は、冗長化された２系統の網同期部（０系の網同期部２０１（０）および１系の網同期部２０１（１））を有する。０系の網同期部２０１（０）および１系の網同期部２０１（１）は同一または同様の構成であるので、明細書では０系の網同期部２０１（０）の要素を説明し、１系の網同期部２０１（１）の要素の重複説明は省略する。また、図３に示す０系の要素には符号末尾にそれぞれ（０）を付して示し、図３に示す１系の要素には符号末尾にそれぞれ（１）を付して示す。なお、０系および１系の各要素に共通する内容を説明する場合は、符号末尾の（数字）を省略して表記する。
【００１９】
０系の網同期部２０１（０）は、クロック受信部３０１（０）、網同期制御部３０２（０）、クロック出力部３０３（０）および出力制御部３０４（０）を有する。また、網同期制御部３０２（０）は、ＣＲＥＣ(Clock RECeiver)切替部４０１（０）と、網同期発振部４０２（０）と、パルス発生部４０３（０）とを有している。
【００２０】
クロック受信部３０１（０）は、伝送装置１０２が上位側から受信する従属クロックを受け取る。従属クロックは、６.３ＭＨｚおよび１.５ＭＨｚの少なくとも一方の正弦波である。
【００２１】
網同期制御部３０２（０）は、クロック受信部３０１（０）が伝送装置１０２から受け取った従属クロックまたは１系のクロック受信部３０１（１）が伝送装置１０２から受け取った従属クロックを選択して従属クロックに同期したパルスを生成する。本実施形態では、網同期制御部３０２（０）は、６４ｋＨｚおよび８ｋＨｚのクロックを生成して、クロック出力部３０３（０）（及び１系のクロック出力部３０３（１））に出力する。また、網同期制御部３０２（０）は、従属クロックへの同期処理を開始すると、同期開始信号を出力制御部３０４（０）に出力する。そして、網同期制御部３０２（０）は、出力制御部３０４（０）から同期保護解除信号を受け取るまで、パルスをクロック出力部３０３（０）に出力しないように制御する。或いは、網同期制御部３０２（０）は、出力制御部３０４（０）から同期保護解除信号を受け取るまで、予め決められた所定のクロックのみ（本実施形態では、６４ｋＨｚのクロックのみ）をクロック出力部３０３（０）に出力するように制御する。網同期制御部３０２（０）は、出力制御部３０４（０）から同期保護解除信号を受け取ると、従属クロックに完全に同期した６４ｋＨｚおよび８ｋＨｚのクロックをクロック出力部３０３（０）に出力する。
【００２２】
クロック出力部３０３（０）は、網同期制御部３０２（０）が出力する６４ｋＨｚおよび８ｋＨｚのクロックまたは１系の網同期制御部３０２（１）が出力する６４ｋＨｚおよび８ｋＨｚのクロックを選択し、ユニポーラ信号からバイポーラ信号への変換を行い、伝送装置１０２に網同期クロックを出力する。網同期クロックは、図２で説明したように、６４ｋＨｚのクロックと８ｋＨｚのクロックとの複合バイポーラ信号であり、８ｋＨｚバイオレーションが付加される。また、クロック出力部３０３（０）は、網同期制御部３０２（０）が６４ｋＨｚのクロックのみを出力する場合、６４ｋＨｚのバイポーラ信号のみを網同期クロックとして伝送装置１０２に出力する。或いは、クロック出力部３０３（０）は、網同期制御部３０２（０）が６４ｋＨｚおよび８ｋＨｚのいずれのクロックも出力しない場合、伝送装置１０２に網同期クロックを出力しない。
【００２３】
ここで、本実施形態では、クロック出力部３０３（０）がバイポーラ信号や複合バイポーラ信号を生成するようにしたが、パルス発生部４０３（０）がバイポーラ信号や複合バイポーラ信号を生成するようにしてもよい。また、本実施形態では、パルス発生部４０３（０）とクロック出力部３０３（０）とを別々のブロックにしたが、パルス発生部４０３（０）とクロック出力部３０３（０）とを１つにまとめて、網同期クロック出力部としてもよい。
【００２４】
出力制御部３０４（０）は、網同期制御部３０２（０）のクロックの同期が安定するまで網同期制御部３０２（０）が網同期クロックを伝送装置１０２に出力しないように制御する。出力制御部３０４（０）は、網同期制御部３０２（０）から同期開始信号を受け取ると、網同期制御部３０２（０）の同期が安定するまで網同期制御部３０２の出力を制御する。
【００２５】
このように、０系の網同期部２０１（０）は、伝送装置１０２から受け取った従属クロックに同期した網同期クロックを生成して伝送装置１０２に出力する。なお、１系の網同期部２０１（１）のクロック受信部３０１（１）、網同期制御部３０２（１）、クロック出力部３０３（１）および出力制御部３０４（１）についても０系の網同期部２０１（０）と同様に動作する。
【００２６】
ここで、本実施形態では、０系と１系とに冗長化された網同期装置１０３について説明するが、本実施形態に係る網同期装置１０３は、冗長化されていない場合についても適用可能である。冗長化されていない場合は、図３において、網同期装置１０３が０系の網同期部２０１（０）または１系の網同期部２０１（１）のいずれかのみで動作する場合に相当する。この場合、１系の従属クロックとの切り替えを行うためのＣＲＥＣ切替部４０１（０）は、無くてもよい。
【００２７】
ＣＲＥＣ切替部４０１（０）は、クロック受信部３０１（０）が伝送装置１０２から受け取った従属クロックまたは１系のクロック受信部３０１（１）が伝送装置１０２から受け取った従属クロックを選択する。なお、従属クロックは、０系又は１系に障害が発生したときに切り替えられる。例えば図１において、伝送装置１０２（１）と伝送装置１０２（２）との間の０系の経路に障害が発生した場合、網同期部２０１（０）は、０系の従属クロックを受信できなくなる。０系の従属クロックを受信できないときに、ＣＲＥＣ切替部４０１（０）は１系のクロック受信部３０１（１）が出力する従属クロックに切り替える。
【００２８】
網同期発振部４０２（０）は、高安定発振器（ＤＣＸＯ(Digital Controlled Crystal Oscillator)）を有し、ＣＲＥＣ切替部４０１が選択した従属クロックに同期したクロックを出力する。網同期発振部４０２（０）は、従属クロックが入力されると従属クロックへの同期処理を開始し、出力制御部３０４（０）に同期開始信号を出力して同期処理の開始を通知する。ここで、網同期発振部４０２（０）は、例えば従属クロックと発振器の出力クロックとの位相差の平均値が徐々に少なくなるように発振器の出力クロックの位相を制御する。そして、出力クロックが完全に従属クロックに同期してクロックワンダーが安定するまでには数時間を要する。
【００２９】
パルス発生部４０３（０）は、例えばＰＬＯ（Phase Locked Oscillator）を有し、網同期発振部４０２（０）の出力クロックから６４ｋＨｚおよび８ｋＨｚのクロックを生成し、クロック出力部３０３（０）に出力する。また、パルス発生部４０３（０）は、出力制御部３０４（０）から同期保護解除信号を受け取るまで、パルスをクロック出力部３０３（０）に出力しない。或いは、パルス発生部４０３（０）は、出力制御部３０４（０）から同期保護解除信号を受け取るまで、予め決められた所定のクロックのみ（本実施形態では、６４ｋＨｚのクロックのみ）をクロック出力部３０３（０）に出力する。パルス発生部４０３（０）は、出力制御部３０４（０）から同期保護解除信号を受け取ると、従属クロックに完全に同期した６４ｋＨｚおよび８ｋＨｚのクロックをクロック出力部３０３（０）に出力する。
【００３０】
このように、網同期制御部３０２（０）は、０系のクロック受信部３０１（０）または１系のクロック受信部３０１（１）から受け取った従属クロックに同期したクロックを生成してクロック出力部３０３（０）に出力する。
［第１実施形態］
図４は、第１実施形態に係る網同期装置１０３ａの一例を示す。なお、図４において、図３と同符号のブロックは、図３のブロックと同一又は同様の機能を有する。また、図４において、０系および１系の各ブロックは同様の動作を行うので、０系を示す符号末尾の（０）および１系を示す符号末尾の（１）は省略して表記する。
【００３１】
図４において、図３と異なる部分は、網同期部２０１ａがタイマー部３０４ａを有する点である。そして、図４の例では、タイマー部３０４ａと信号を入出力する網同期制御部３０２ａの網同期発振部４０２ａおよびパルス発生部４０３ａの動作が、図３に示した網同期発振部４０２およびパルス発生部４０３の動作とそれぞれ異なる。
【００３２】
タイマー部３０４ａは、図３に示した出力制御部３０４を実現するための一例である。タイマー部３０４ａは、網同期発振部４０２ａから同期開始信号を受け取ると予め決められた時間をカウントする処理を開始する。そして、タイマー部３０４ａは、予め決められた時間のカウントを終了すると、同期保護解除信号をパルス発生部４０３ａに出力する。ここで、予め決められた時間は、網同期発振部４０２ａが出力するクロックが従属クロックに同期して安定するまでの時間であり、例えば２時間程度に設定される。
【００３３】
そして、パルス発生部４０３ａは、出力制御部３０４から同期保護解除信号を受け取るまで、クロック出力部３０３にクロックを出力しない。これにより、伝送装置１０２は、クロック出力部３０３から網同期クロックを受け取らないので、自動的に従属クロックを選択して、従属クロックに基づいて動作する。また、パルス発生部４０３ａは、出力制御部３０４から同期保護解除信号を受け取ると、クロック出力部３０３にクロックを出力する。これにより、伝送装置１０２は、クロック出力部３０３から網同期クロックを受け取るので、自動的に網同期クロックを選択して、網同期クロックに基づいて動作する。
【００３４】
このようにして、伝送装置１０２は、網同期装置１０３が出力する網同期クロックが安定するまで従属クロックを選択し、網同期装置１０３が安定した網同期クロックを出力できるようになってから網同期クロックに切り替えることができる。
（第１実施形態の処理例）
図５は、図４で説明した網同期装置１０３ａの処理例を示す。
【００３５】
ステップＳ１０１において、保守者は、網同期装置１０３ａの電源を投入する。そして、網同期装置１０３ａは、起動後、伝送装置１０２から従属クロックが出力されるのを待つ。
【００３６】
ステップＳ１０２において、保守者は、伝送装置１０２の電源を投入する。
【００３７】
ここで、ステップＳ１０２は、ステップＳ１０１よりも前に実行されてもよい。例えば、網同期装置１０３ａを追加する場合や交換する場合、伝送装置１０２の電源が投入されている状態で網同期装置１０３ａの電源が投入される。
【００３８】
ステップＳ１０３において、伝送装置１０２は、起動後、網同期装置１０３ａに従属クロックの出力を開始する。
【００３９】
ステップＳ１０４において、網同期制御部３０２ａは、伝送装置１０２が出力する従属クロックを検出すると、タイマー部３０４ａに同期開始信号を出力する。
【００４０】
ステップＳ１０５において、タイマー部３０４ａは、同期開始信号をトリガとして予め設定された時間（例えば２時間）のタイマーを動作させ、予め設定された時間が経過するまで待機する。
【００４１】
ステップＳ１０６において、タイマー部３０４ａは、予め設定された時間が経過後、網同期制御部３０２ａのパルス発生部４０３ａに同期保護解除信号を出力する。
【００４２】
ステップＳ１０７において、パルス発生部４０３ａは、タイマー部３０４ａから同期保護解除信号を受け取ると、網同期発振部４０２ａが出力するクロックから生成した６４ｋＨｚと８ｋＨｚとのクロックをクロック出力部３０３に出力する。そして、クロック出力部３０３は、６４ｋＨｚと８ｋＨｚとのクロックを複合した複合バイポーラ信号（６４ｋＨｚ+８ｋＨｚ）を生成し、網同期クロックとして伝送装置１０２に出力する。
【００４３】
ステップＳ１０８において、伝送装置１０２は、網同期装置１０３ａが出力する網同期クロックを検出して、自動的に従属クロックから網同期クロックに切り替える。
【００４４】
このようにして、伝送装置１０２は、網同期装置１０３ａから安定した網同期クロックを受け取るまでの期間は従属クロックで動作し、網同期装置１０３ａが安定した網同期クロックを出力できるようになってから網同期クロックに切り替えることができる。
【００４５】
図６は、網同期装置１０３ａが伝送装置１０２に出力する網同期クロックの一例を示す。図６において、網同期装置１０３ａは、タイマー部３０４ａがタイミングＴｓで同期保護解除信号を出力するまで、伝送装置１０２に網同期クロックを出力しない。そして、タイミングＴｓでタイマー部３０４ａが６４ｋＨｚと８ｋＨｚとの複合バイポーラ信号の出力を開始し、伝送装置１０２は、８ｋＨｚバイオレーションを検出する。伝送装置１０２は、８ｋＨｚバイオレーションを検出すると、網同期装置１０３ａが網同期クロックの出力を開始したと判断して、従属クロックから網同期クロックに自動的に切り替える。
【００４６】
図７は、第１実施形態における伝送装置１０２の動作の一例を示す。図７（ａ）は、網同期装置１０３ａが網同期クロックを伝送装置１０２に出力していない場合の伝送装置１０２の動作を示す。図７（ｂ）は、網同期装置１０３ａが網同期クロックを伝送装置１０２に出力後の伝送装置１０２の動作を示す。
【００４７】
図７（ａ）において、網同期装置１０３ａには、伝送装置１０２が伝送路を介して上位側の装置から受信する従属クロックが入力される。そして、網同期装置１０３ａは、従属クロックに同期したクロックの生成を開始するが、同期が安定するまでの期間、網同期クロックを伝送装置１０２に出力しない。このため、伝送装置１０２は、内部発振器１０２ａを上位側の伝送装置１０２から受信する従属クロックに同期させて動作し、内部発振器１０２ａのクロックを下位側の伝送装置１０２に出力する。
【００４８】
図７（ｂ）において、網同期装置１０３ａは、所定時間経過後に同期が安定した網同期クロックの出力を開始すると、伝送装置１０２は、網同期装置１０３ａが出力する網同期クロック（８ｋＨｚバイオレーション）を検出する。そして、伝送装置１０２は、網同期クロックを自動的に選択して、内部発振器１０２ａを網同期クロックに同期させる。なお、本実施形態で使用する伝送装置１０２は、網同期クロックが入力されていないか、或いは、何らかのクロックが入力されていても８ｋＨｚバイオレーションを検出できない場合、自動的に従属クロックを選択する機能を有している。
【００４９】
このようにして、網同期装置１０３ａは、網同期クロックの同期が安定するまで網同期クロックを伝送装置１０２に出力しないので、伝送装置１０２は、同期が安定した網同期クロックを受け取るまで従属クロックで動作する。そして、網同期装置１０３ａは、予め設定された時間が経過後に同期が安定した網同期クロックを出力し、伝送装置１０２は、従属クロックから網同期クロックに切り替えることができる。これにより、伝送装置１０２は、クロックワンダーなどを有する同期が不十分な網同期クロックに起因するバッファのスリップなどによるデータエラーの発生を防止することができる。また、同期処理を開始してから所定時間（例えば２時間）経過後に、保守作業者が伝送装置１０２のクロック設定を従属クロックから網同期クロックに手動で切り替える作業が不要になる。
（第１実施形態の応用例）
上記の実施形態では、網同期装置１０３ａは、網同期クロックが安定するまでの期間、網同期クロックを出力しないように制御した。これに対して、本応用例では、網同期装置１０３ａは、網同期クロックが安定するまでの期間、正常な網同期クロックとは異なる特定のクロック（６４ｋＨｚのクロック）を出力する。例えば図５のフローチャートにおいて、ステップＳ１０４からステップＳ１０６までの期間、網同期装置１０３ａは、６４ｋＨｚのバイポーラ信号を伝送装置１０２に出力する。これにより、伝送装置１０２は、網同期装置１０３ａが正常に動作しているか否かを判別することができる。
【００５０】
図８は、第１実施形態の応用例として、網同期装置１０３ａが伝送装置１０２に出力する網同期クロックの一例を示す。図８において、網同期装置１０３ａは、タイマー部３０４ａがタイミングＴｓで同期保護解除信号を出力するまでの期間、正常な網同期クロックとは異なる６４ｋＨｚのバイポーラ信号を伝送装置１０２に出力する。そして、所定時間経過後のタイミングＴｓにおいて、網同期装置１０３ａが６４ｋＨｚと８ｋＨｚとの複合バイポーラ信号の出力を開始すると、伝送装置１０２は、８ｋＨｚバイオレーションを検出する。伝送装置１０２は、８ｋＨｚバイオレーションを検出すると、網同期装置１０３ａが網同期クロックの出力を開始したと判断して、従属クロックから網同期クロックに自動的に切り替える。
【００５１】
図９は、第１実施形態の応用例における伝送装置１０２の動作の一例を示す。図９（ａ）は、網同期装置１０３ａが６４ｋＨｚのバイポーラ信号（正常ではない網同期クロック）を伝送装置１０２に出力している場合の伝送装置１０２の動作を示す。図９（ｂ）は、網同期装置１０３ａが６４ｋＨｚと８ｋＨｚとの複合バイポーラ信号（正常な網同期クロック）を伝送装置１０２に出力している場合の伝送装置１０２の動作を示す。
【００５２】
図９（ａ）において、網同期装置１０３ａには、伝送装置１０２が伝送路を介して上位側の装置から受信する従属クロックが入力される。そして、網同期装置１０３ａは、従属クロックに同期したクロックの生成を開始するが、同期が安定するまでの期間、６４ｋＨｚのバイポーラ信号を伝送装置１０２に出力する。このため、伝送装置１０２は、内部発振器１０２ａを上位側の伝送装置１０２から受信する従属クロックに同期させて動作し、内部発振器１０２ａのクロックを下位側の伝送装置１０２に出力する。
【００５３】
図９（ｂ）において、網同期装置１０３ａが所定時間経過後に６４ｋＨｚと８ｋＨｚとの複合バイポーラ信号（網同期クロック）の出力を開始すると、伝送装置１０２は、網同期装置１０３ａが出力する網同期クロック（８ｋＨｚバイオレーション）を検出する。そして、伝送装置１０２は、網同期クロックを自動的に選択して、内部発振器１０２ａを網同期クロックに同期させる。なお、本実施形態で使用する伝送装置１０２は、網同期クロックが入力されていないか、或いは、何らかのクロックが入力されていても８ｋＨｚバイオレーションを検出できない場合、自動的に従属クロックを選択する機能を有している。
【００５４】
このようにして、網同期装置１０３ａは、網同期クロックの同期が安定するまで６４ｋＨｚのバイポーラ信号のみを伝送装置１０２に出力する。このため、伝送装置１０２は、６４ｋＨｚと８ｋＨｚとの複合バイポーラ信号の８ｋＨｚバイオレーションを検出しないので、正常な網同期クロックではないと判断し、従属クロックで動作する。そして、網同期装置１０３ａは、予め設定された時間が経過後に、６４ｋＨｚと８ｋＨｚとの複合バイポーラ信号（正常な網同期クロック）を伝送装置１０２に出力する。これにより、伝送装置１０２は、網同期クロックの８ｋＨｚバイオレーションを検出し、網同期装置１０３が網同期クロックの出力を開始したと判断し、伝送装置１０２は、従属クロックから網同期クロックに切り替えることができる。
【００５５】
ここで、図６の例では、網同期装置１０３ａは、網同期クロックの同期が安定するまでの期間、伝送装置１０２に何も出力しないので、伝送装置１０２は、網同期装置１０３ａが故障しているか否かを判別することができないという問題がある。これに対して、本応用例では、伝送装置１０２は、網同期装置１０３ａから６４ｋＨｚと８ｋＨｚとの複合バイポーラ信号を受信していない期間、６４ｋＨｚのバイポーラ信号を受信するので、網同期装置１０３ａが正常に動作しているか否かを判別できる。
【００５６】
このようにして、伝送装置１０２は、クロックワンダーなどを有する同期が不十分な網同期クロックに起因するバッファのスリップなどによるデータエラーの発生を防止することができる。また、同期処理を開始してから所定時間（例えば２時間）経過後に、保守作業者が伝送装置１０２のクロック設定を従属クロックから網同期クロックに手動で切り替える作業が不要になる。
［第２実施形態］
図１０は、第２実施形態に係る網同期装置１０３ｂの一例を示す。なお、図１０において、図４と同符号のブロックは、図４のブロックと同一又は同様の機能を有する。また、図１０においても、図４と同様に、０系および１系の各ブロックは同様の動作を行うので、０系を示す符号末尾の（０）および１系を示す符号末尾の（１）は省略して表記する。
【００５７】
図１０において、図４と異なる部分は、網同期部２０１ｂが位相比較部３０４ｂを有する点である。そして、図１０の例では、位相比較部３０４ｂと信号を入出力する網同期制御部３０２ｂのＣＲＥＣ切替部４０１ｂおよび網同期発振部４０２ｂの動作が、図４に示したＣＲＥＣ切替部４０１および網同期発振部４０２ａの動作とそれぞれ異なる。なお、図１０に示すパルス発生部４０３ａは、図４に示したパルス発生部４０３ａと同じブロックであり、図４の場合と同様に動作する。
【００５８】
図１０において、ＣＲＥＣ切替部４０１ｂは、クロック受信部３０１から受け取る従属クロックに同期した位相比較用のクロック（例えば２ｋＨｚ）を生成して位相比較部３０４ｂに出力する。
【００５９】
網同期発振部４０２ｂは、ＣＲＥＣ切替部４０１ｂから従属クロックの受け取りを開始すると、図４で説明した網同期発振部４０２ａと同様に、同期開始信号を位相比較部３０４ｂに出力する。また、網同期発振部４０２ｂは、出力クロック（６４ｋＨｚまたは８ｋＨｚ）に同期した位相比較用のクロック（例えば２ｋＨｚ）を生成して位相比較部３０４ｂに出力する。
【００６０】
位相比較部３０４ｂは、図３に示した出力制御部３０４を実現するための一例であり、図４のタイマー部３０４ａとは異なる動作により、網同期発振部４０２ａの同期が安定したか否かを検出する。位相比較部３０４ｂは、網同期発振部４０２ａから同期開始信号を受け取るとＣＲＥＣ切替部４０１ｂが出力する位相比較用のクロックと、網同期発振部４０２ａが出力する位相比較用のクロックとを比較して位相差を求める。そして、位相比較部３０４ｂは、位相差が予め設定された所定の条件を満たすか否かに応じて、網同期発振部４０２ｂの同期が安定したか否かを判別し、同期が安定した場合に同期保護解除信号をパルス発生部４０３ａに出力する。
【００６１】
図１１は、位相比較部３０４ｂの動作例を示す。図１１において、ＣＲＥＣ切替部４０１ｂが位相比較部３０４ｂに出力する位相比較用のクロックＣＫ１（２ｋＨｚ）と、網同期発振部４０２ｂが出力する位相比較部３０４ｂに出力する位相比較用のクロックＣＫ２（２ｋＨｚ）とは、互いに位相がずれている。例えばタイミングＴ１１とＴ１２とにおけるクロックＣＫ１とクロックＣＫ２とは、位相差Ｐ１を有し、所定時間経過後のタイミングＴ１３とＴ１４とにおけるクロックＣＫ１とクロックＣＫ２とは、位相差Ｐ２を有する。ここで、位相差Ｐ１と位相差Ｐ２とを取得する間隔（所定時間）は、例えば数十分後や数分後であってもよい。また、図１１の説明では、クロックＣＫ１およびクロックＣＫ２の周波数を２ｋＨｚとしたが、位相比較部３０４ｂの内蔵発振器の周波数よりも十分に低い周波数であれば、例えば４ｋＨｚであってもよいし、１ｋＨｚであってもよい。さらに、位相比較部３０４ｂの内蔵発振器の周波数は、図１１の例では５０ＭＨｚとしたが、１００ＭＨｚであってもよいし、３０ＭＨｚであってもよい。なお、内蔵発振器の周波数がクロックＣＫ１およびＣＫ２よりも高いほど計測する位相差の測定精度が高くなる。
【００６２】
図１１において、位相比較部３０４ｂは、位相差Ｐ１および位相差Ｐ２を内蔵の発振器が出力する５０ＭＨｚのクロックＣＫｓでカウントし、それぞれの位相差をカウント数により計測する。例えばカウント数が５個の場合、５０ＭＨｚ（２０ｎｓｅｃ周期）のクロックが最大で５周期含まれるので、位相差は１００ｎｓｅｃである。図１１の例では、位相比較部３０４ｂは、位相差を時間ではなくカウント数（クロック数）により計測する。図１１において、位相差Ｐ１はＮクロック、位相差Ｐ２はＮ’クロックである。そして、位相比較部３０４ｂは、位相差Ｐ１と位相差Ｐ２とのクロック差の絶対値がＮｓクロック以内（例えば１クロック以内）の場合（（式１））、網同期発振部４０２ｂの同期が安定したと判断し、パルス発生部４０３ａに同期保護解除信号を出力する。
｜Ｎ−Ｎ’｜≦Ｎｓ    …（式１）
ここで、パルス発生部４０３ａは、位相比較部３０４ｂから同期保護解除信号を受け取るまで、例えばクロック出力部３０３にクロックを出力しない。これにより、第１実施形態の図６で説明したように、伝送装置１０２は、クロック出力部３０３から網同期クロックを受け取らないので、自動的に従属クロックを選択して、従属クロックに基づいて動作する。
【００６３】
或いは、パルス発生部４０３ａは、位相比較部３０４ｂから同期保護解除信号を受け取るまで、６４ｋＨｚのクロックをクロック出力部３０３に出力し、８ｋＨｚのクロックをクロック出力部３０３に出力しない。そして、クロック出力部３０３は、正常な網同期クロックとは異なる６４ｋＨｚのバイポーラ信号を伝送装置１０２に出力する。このため、伝送装置１０２は、第１実施形態の図８で説明したように、正常な網同期クロックに含まれる８ｋＨｚバイオレーションを検出しないので、自動的に従属クロックを選択して、従属クロックに基づいて動作する。
【００６４】
一方、パルス発生部４０３ａは、位相比較部３０４ｂから同期保護解除信号を受け取ると、クロック出力部３０３に６４ｋＨｚと８ｋＨｚとのクロックを出力する。そして、クロック出力部３０３は、６４ｋＨｚと８ｋＨｚとの複合バイポーラ信号（正常な網同期クロック）を生成して、伝送装置１０２に出力する。伝送装置１０２は、第１実施形態の図８で説明したように、クロック出力部３０３が出力する網同期クロックの８ｋＨｚバイオレーションを検出して、従属クロックから網同期クロックに自動的に切り替え、網同期クロックに基づいて動作する。
【００６５】
このように、伝送装置１０２は、網同期装置１０３ｂが安定した網同期クロックを伝送装置１０２に出力できるまで、従属クロックを選択し、網同期装置１０３ｂが安定した網同期クロックを出力できるようになってから、網同期クロックに切り替える。これにより、伝送装置１０２は、クロックワンダーなどを有する同期が不十分な網同期クロックに起因するバッファのスリップなどによるデータエラーの発生を防止することができる。また、同期処理を開始してから所定時間（例えば２時間）経過後に、保守作業者が伝送装置１０２のクロック設定を従属クロックから網同期クロックに手動で切り替える作業が不要になる。さらに、網同期装置１０３ｂは、同期が安定するまで６４ｋＨｚのバイポーラ信号のみを伝送装置１０２に出力することにより、伝送装置１０２は、網同期装置１０３が故障であるか否かを判別することができる。
【００６６】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６７】
１００・・・網同期システム；１０１・・・標準クロック発生装置；１０２・・・伝送装置；１０２ａ・・・内部発振器；１０３，１０３ａ，１０３ｂ・・・網同期装置；２０１，２０１ａ，２０１ｂ・・・網同期部；３１０・・・クロック受信部；３０２，３０２ａ，３０２ｂ・・・網同期制御部；３０３・・・クロック出力部；３０４・・・出力制御部；３０４ａ・・・タイマー部；３０４ｂ・・・位相比較部；４０１，４０１ｂ・・・ＣＲＥＣ切替部；４０２，４０２ａ，４０２ｂ・・・網同期発振部；４０３，４０３ａ・・・パルス発生部
【図１】
2016213706.tif 000003
【図２】
2016213706.tif 000004
【図３】
2016213706.tif 000005
【図４】
2016213706.tif 000006
【図５】
2016213706.tif 000007
【図６】
2016213706.tif 000008
【図７】
2016213706.tif 000009
【図８】
2016213706.tif 000010
【図９】
2016213706.tif 000011
【図１０】
2016213706.tif 000012
【図１１】
2016213706.tif 000013